【手続補正書】
【提出日】平成16年12月6日(2004.12.6)
【手続補正１】
【補正対象書類名】明細書
【補正対象項目名】特許請求の範囲
【補正方法】変更
【補正の内容】
【特許請求の範囲】
【請求項１】  複数の結紮バンドを患者の体内に送出すように構成されている結紮バンド送出装置（１０）であって、
手持ち操作できるように構成された近位部分と、
遠位端及び近位端と、前記遠位端付近に位置する組織収容チャンバと、前記組織収容チャンバから近位方向に延びる通路とを備え、その上に取付け可能な複数の結紮バンドを受け入れるように構成されている送出部材と、
前記複数の結紮バンドを前記送出部材の前記遠位端に向けて順次、付勢するように構成された少なくとも１つの結紮バンド支持要素と、
前記送出装置の近位部分付近に位置して前記少なくとも１つの結紮バンド支持要素と作動的に結合された近位作動機構を含む作動アセンブリと、
前記送出装置の近位部分付近に位置する吸引手段取付ポートと吸引連通し、前記送出部材の通路を含む主吸引通路と、
前記主吸引通路に連通して前記組織収容チャンバにおける吸引の有無を制御する吸引作動インタフェースと、を備え、
前記吸引作動インタフェースは、オペレータが前記吸引作動インタフェースと作動機構とを同時に操作することができ、片手が自由になって他の操作を行うことができるように構成されている、
ことを特徴とする送出装置。
【請求項２】  複数の結紮バンドを患者の体内に送出すように構成されている結紮バンド送出装置（１０）であって、
手持ち式操作できるように構成された近位部分と、
遠位端及び近位端と、前記遠位端付近に位置する組織収容チャンバと、前記組織収容チャンバから近位方向に延びる通路とを備え、その上に取付可能な複数の結紮バンドを受け入れるように構成されている送出部材と、
前記複数の結紮バンドを前記送出部材の前記遠位端に向けて順次、付勢するように構成された少なくとも１つの結紮バンド支持要素と、
前記送出装置の近位部分付近に位置して前記少なくとも１つの結紮バンド支持要素と作動的に結合された近位作動機構を含む作動アセンブリと、
前記送出装置の近位部分付近に位置する吸引手段取付ポートと吸引連通し、前記送出部材の通路を含む主吸引通路と、
前記主吸引通路に連通し前記組織収容チャンバにおける吸引の有無を制御する吸引作動インタフェースと、を備え、
前記吸引作動インタフェースは、オペレータが前記吸引作動インタフェースと作動機構とを同時に操作することができ、片手が自由になって他の操作を行うことができるように構成され、
前記少なくとも１つの結紮バンド支持要素は、前記複数の結紮バンドを遠位縁部から配置できるように遠位縁部に向けて付勢するように構成された少なくとも１つの撚り線を含み、前記作動機構が、前記少なくとも１つの撚り線を前記送出部材の通路の中に付勢する前記少なくとも１つのバンド支持要素に張力をもたらすように構成されている、
ことを特徴とする送出装置。
【請求項３】  前記近位部分は、ピストル型ハンドルを含む、
請求項２に記載の送出装置。
【請求項４】  前記作動機構は刻み付きホイールを含み、該刻み付きホイールは、オペレータにより特定方向に回転されたとき前記撚り線を巻き付けるように構成され、且つ、単一方向のみに回転するように構成されている、
請求項３に記載の送出装置。
【請求項５】  前記近位部分は、遠位側表面を有するピストル型ハンドルを含み、
前記作動機構は、オペレータの親指によって作動され、前記少なくとも１つのバンド支持要素に対して後方に向かう張力をもたらして前記複数の結紮バンドの配置を可能にするように構成され、
前記吸引作動インタフェースは、オペレータが前記ピストル型ハンドルを握っている間にそれをオペレータの指によって操作することができるように、前記ピストル型ハンドルの遠位面上に位置する、
請求項２に記載の送出装置。
【請求項６】  前記少なくとも１つの結紮バンド支持要素は、各々が前記複数のバンドを受け入れ、それらを付勢して装置の遠位縁部に向かって付勢するように構成された複数のリテーナを有する一対の撚り線を含む、
請求項５に記載の送出装置。
【請求項７】  複数の結紮バンドを患者の体内に送出すように構成されている結紮バンド送出装置（１０）であって、
手持ち操作できるように構成された近位部分と、
遠位端及び近位端と、前記遠位端付近に位置する組織収容チャンバと、前記組織収容チャンバから近位方向に延びる通路とを備え、その上に取付可能な複数の結紮バンドを受け入れるように構成されている送出部材と、
前記複数の結紮バンドを前記送出部材の前記遠位端に向けて順次、付勢するように構成された少なくとも１つの結紮バンド支持要素と、
前記送出装置の近位部分付近に位置して前記少なくとも１つの結紮バンド支持要素と作動的に結合された近位作動機構を含む作動アセンブリと、
前記送出装置の近位部分付近に位置する吸引手段取付ポートと吸引連通し、前記送出部材の通路を含む主吸引通路と、
前記主吸引通路に連通し前記組織収容チャンバにおける吸引の有無を制御する吸引作動インタフェースと、を備え、
前記吸引作動インタフェースは、オペレータが前記吸引作動インタフェースと作動機構とを同時に操作することができ、片手が自由になって他の操作を行うことができるように構成され、
前記少なくとも１つのバンド支持要素は、前記送出部材の前記通路と共に配置された内側環状部材を含み、前記内側環状部材は、そこから外方に延びる複数のリテーナを含み、前記リテーナの各々は、前記複数のバンドの１つを受け入れ装置の遠位縁部に向けて付勢するように構成されている、
ことを特徴とする送出装置。
【請求項８】  前記送出部材は、前記複数のリテーナを受け入れ、それらが装置の遠位端に向けて長手方向に摺動することを可能にする一対の対向する長手方向チャンネルを含む、
請求項７に記載の送出装置。
【請求項９】  複数の結紮バンドを患者の体内に送出すように構成されている結紮バンド送出装置（１０）であって、
手持ち操作できるように構成された近位部分と、
遠位端及び近位端と、前記遠位端付近に位置する組織収容チャンバと、前記組織収容チャンバから近位方向に延びる通路とを備え、その上に取付可能な複数の結紮バンドを受け入れるように構成されている送出部材と、
前記複数の結紮バンドを前記送出部材の前記遠位端に向けて順次、付勢するように構成された少なくとも１つの結紮バンド支持要素と、
前記送出装置の近位部分付近に位置して前記少なくとも１つの結紮バンド支持要素と作動的に結合された近位作動機構を含む作動アセンブリと、
前記送出装置の近位部分付近に位置する吸引手段取付ポートと吸引連通し、前記送出部材の通路を含む主吸引通路と、
前記主吸引通路に連通し前記組織収容チャンバにおける吸引の有無を制御する吸引作動インタフェースと、を備え、
前記吸引作動インタフェースは、オペレータが前記吸引作動インタフェースと作動機構とを同時に操作することができ、片手が自由になって他の操作を行うことができるように構成され、
前記少なくとも１つのバンド支持要素は、各々が第１部分及び第２部分を有する複数のバンド支持要素を含み、前記第２部分は、ほぼ前記送出部材の前記通路内にあり、かつ、装置内に配置されて前記作動機構と作動的に結合された内側係合アセンブリにより係合可能な複数の結合要素を含み、内側係合機構は、前記複数のバンド支持要素を同時に前記通路の中に付勢し、それによって前記第１部分の上に配置された前記複数の結紮バンドを配置させるように構成されている、
ことを特徴とする送出装置。
【請求項１０】  前記作動アセンブリは、前記複数の結合部材と係合するように構成され前記内側係合アセンブリ上に位置する複数の作動カプラを含む、
請求項９に記載の送出装置。
【請求項１１】前記内側係合アセンブリは、前記複数の結合部材のうちの選択された結合部材と結合するように構成され、それによって前記バンド支持要素が配置方向と反対の方向に移動するのを防止する少なくとも１つの固定要素を更に含む、
請求項１０に記載の送出装置。
【請求項１２】  複数の結紮バンドを患者の体内に送出すように構成されている結紮バンド送出装置（１０）であって、
手持ち操作できるように構成された近位部分と、
遠位端及び近位端と、前記遠位端付近に位置する組織収容チャンバと、前記組織収容チャンバから近位方向に延びる通路とを備え、その上に取付可能な複数の結紮バンドを受け入れるように構成されている送出部材と、
前記複数の結紮バンドを前記送出部材の前記遠位端に向けて順次、付勢するように構成された少なくとも１つの結紮バンド支持要素と、
前記送出装置の近位部分付近に位置して前記少なくとも１つの結紮バンド支持要素と作動的に結合された近位作動機構を含む作動アセンブリと、
前記送出装置の近位部分付近に位置する吸引手段取付ポートと吸引連通し、前記送出部材の通路を含む主吸引通路と、
前記主吸引通路に連通し前記組織収容チャンバにおける吸引の有無を制御する吸引作動インタフェースと、を備え、
前記吸引作動インタフェースは、オペレータが前記吸引作動インタフェースと作動機構とを同時に操作することができ、片手が自由になって他の操作を行うことができるように構成され、
前記少なくとも１つのバンド支持要素の各々は、前記通路の外部にほぼ配置された、複数のリテーナを含む第１部分と、前記送出部材の前記通路内にほぼ配置されて、前記近位作動機構と作動的に結合された第２部分とを含む、
ことを特徴とする送出装置。
【請求項１３】  複数の結紮バンドを患者の体内に送出すように構成されている結紮バンド送出装置（１０）であって、
手持ち操作できるように構成された近位部分と、
遠位端及び近位端と、前記遠位端付近に位置する組織収容チャンバと、前記組織収容チャンバから近位方向に延びる通路とを備え、その上に取付可能な複数の結紮バンドを受け入れるように構成されている送出部材と、
前記複数の結紮バンドを前記送出部材の前記遠位端の方向に順次、付勢するように構成された少なくとも１つの結紮バンド支持要素と、
前記送出装置の近位部分付近に位置して前記少なくとも１つの結紮バンド支持要素と作動的に結合された近位作動機構を含む作動アセンブリと、
前記送出装置の近位部分付近に位置する吸引手段取付ポートと吸引連通し、前記送出部材の通路を含む主吸引通路と、
前記主吸引通路に連通し前記組織収容チャンバにおける吸引の有無を制御する吸引作動インタフェースと、を備え、
前記吸引作動インタフェースは、オペレータが前記吸引作動インタフェースと作動機構とを同時に操作することができ、片手が自由になって他の操作を行うことができるように構成され、
前記近位作動機構は、前記送出部材の近位端付近に位置するグリップ部分と、前記グリップ部分の近位に位置する近位アクチュエータと、前記近位アクチュエータに取り付けられたバイアス部材とを含み、前記グリップ部分に対するその前方前進により、前記バンド支持要素の前記複数のリテーナのうちの少なくとも選択されたものが前記送出部材に対して前方に付勢されるように構成される、
ことを特徴とする送出装置。
【請求項１４】  前記近位アクチュエータ及び前記バイアス部材は、前記近位アクチュエータの前進が前記少なくとも１つのバンド支持要素の全長を前方に付勢するように、前記送出部材の前記通路内で前記少なくとも１つのバンド支持要素と作動的に結合される、
請求項１３に記載の送出装置。
【請求項１５】  前記近位アクチュエータ及びバイアス部材は、内側係合機構と作動的に結合され、
前記内側係合機構は、それが前記送出部材の前記通路内で前記少なくとも１つのバンド支持要素の前記第２部分と係合可能であり、それによって前記少なくとも１つのバンド支持要素の前記第１部分を少なくとも部分的に前記通路の中に付勢し、それによって前記複数の結紮バンドの配置を生じさせるように構成される、
ことを特徴とする請求項１３に記載の送出装置。